(57)【要約】【課題】  歯間に貯まった歯垢等の清掃効果を高めながら、耐久性を向上させた歯間ブラシを提供する。  【解決手段】  ワイヤ３１を捻り加工してブラシ３２を挟持させたブラシ部３が、ブラシ固定部２２に固定された一端部３１ａからブラシ先端部３ｃに向けて延出する第１ブラシ部３ａと、ブラシ先端部３ｃからブラシ固定部２２に向けて他端部が折り返すようにして延びる第２ブラシ部３ｂとを有し、一端部３１ａおよび他端部がブラシ固定部２２に固定されている。これにより、ブラシ部３の強度が向上する。また、ブラシ部３の形状や寸法の自由度が大きくなるため、隙間の大小に関わらず効率の良い清掃が可能となり、特に、隙間が横に広いブリッジ等の歯冠修復物と歯肉との隙間の清掃には好適となる。従って、耐久性が高く長寿命であり、また、効率良く清掃を行うことができる歯間ブラシを実現することができる。【選択図】    図１
2006181120.tif 000002
【特許請求の範囲】
【請求項１】
把持部とブラシ固定部とを有するハンドルと、
前記ブラシ固定部に取り付けられ、２本のワイヤ間に、合成繊維又は天然繊維のフィラメントからなるブラシを挟持させ、前記ワイヤを捻り加工することによって前記ブラシを固定したブラシ部とを具備した歯間ブラシであって、
前記ブラシ部は、前記ブラシ固定部に固定された一端部からブラシ先端部に向けて延出する第１ブラシ部と、前記ブラシ先端部から前記ブラシ固定部に向けて他端部が折り返すようにして延びる第２ブラシ部とからなり、
前記ブラシ固定部に、前記一端部及び他端部が共に固定されていることを特徴とする歯間ブラシ。
【請求項２】
前記ブラシ部は、前記ブラシ固定部とブラシ先端部との間の少なくとも１以上の箇所で前記第１ブラシ部と第２ブラシ部とが捻られて構成されていることを特徴とする請求項１に記載の歯間ブラシ。
【請求項３】
前記ブラシ部において、前記ブラシを前記ブラシ先端部以外の位置に取り付け、ブラシ先端部にブラシ未形成部が設けられていることを特徴とする請求項１又は２に記載の歯間ブラシ。
【請求項４】
前記ブラシ部の先端部に樹脂被覆部が設けられていることを特徴とする請求項１〜３の何れか１項に記載の歯間ブラシ。
【発明の詳細な説明】
【技術分野】
【０００１】
本発明は、通常の歯ブラシによるブラッシングで歯垢清掃が困難な歯間部分を清掃する際に使用する歯間ブラシに関する。
【背景技術】
【０００２】
従来、２つ折りとしたワイヤの間に合成繊維あるいは天然繊維の束からなるフィラメントを複数挟み、ワイヤを捻り加工してフィラメントを捻り止めした構成の歯間ブラシが知られている。この歯間ブラシは、ワイヤを捻って加工して、このワイヤに直交する方向に突出させた複数のフィラメントからなるブラシをワイヤ間に挟持したブラシ部が構成されており、図１０（ａ）に示すような、歯４１同士の間に形成された隙間部４３や、図１０（ｂ）に示すような、歯肉４２と歯冠修復物４５（ブリッジ等）との空隙部４４に前記ブラシ部を出し入れすることにより、歯の側面部分や歯の根幹部分を磨くことができるものである。
上述の構成の歯間ブラシでは、ブラシ部を歯と歯の間の狭い隙間に挿入するため、ブラシを挟持するワイヤとして、直径０．２３から０．３５ｍｍ程度の細いワイヤが使用されている。このため、繰り返し使用によって、ワイヤが曲がってしまうか、折れてしまう虞があった。
【０００３】
また、従来の構成の歯間ブラシは、狭い隙間を清掃する補助用具であり、ブラシの数や幅、植毛できる領域に限界があるため、通常の歯ブラシと比較して清掃効率及び清掃効果が低かった。また、歯間ブラシは、清掃に時間がかかることや、清掃の作業が面倒であることが原因で、使用を中止する使用者も多かった。
【０００４】
ところで、この種の歯間ブラシにおいて、耐久性の問題を解決するため、ワイヤの材質をより耐久性の高い金属で構成して、ワイヤ自体の強度を向上させたものがある（例えば、特許文献１〜３）。
【０００５】
また、歯間ブラシのハンドルの先端に柔軟性を持たせることにより、ハンドル先端を手指で曲げて、ブラシ部のハンドルに対する角度を変えて使用することができる構成としたものが提案されている（例えば、特許文献４〜６）。
【０００６】
また、ワイヤの表面にフィラメントがフロック加工によって固着されてなるブラシ部を有し、前記ワイヤが同一平面内で２重層状に屈曲され、ワイヤの両端部がハンドルとして構成されたものが提案されている（例えば、特許文献７）。
【特許文献１】特許第３４５８６２７号公報
【特許文献２】実開平５−９５３２２号公報
【特許文献３】特開平１１−３４６８３１号公報
【特許文献４】実公平６−３３８５３号公報
【特許文献５】実公平３−５０７３５号公報
【特許文献６】実開平４−６２１３０号公報
【特許文献７】特開平６−２７７２３７号公報
【発明の開示】
【発明が解決しようとする課題】
【０００７】
特許文献１〜３に記載の歯間ブラシでは、ワイヤ自体の強度が向上することにより、耐久性は若干向上する。
しかしながら、特許文献１〜３に記載の歯間ブラシでは、捻って構成された１本のワイヤでブラシ部が支持されるものであり、歯間ブラシ使用時の応力がワイヤの１箇所に集中しやすい。このため、歯間ブラシを何度も繰り返して使用した場合、曲がってしまうか、折れたり、ちぎれたりする虞があり、耐久性の点で十分ではなかった。
また、図１０（ｂ）に示した、ブリッジ等の歯冠修復物４５と歯肉４２との空隙部４４のように、横に広い隙間を清掃する際は、清掃作業が面倒で時間がかかるという問題があった。
【０００８】
特許文献４〜６に記載された歯間ブラシは、ハンドルの先端を手指で曲げて、洗浄に適切な角度でブラシ部を使用することによって清掃効率が向上し、また、ワイヤの耐久性も向上する。
しかしながら、特許文献４〜６に記載の歯間ブラシも、捻って構成された１本のワイヤでブラシ部が支持される構成であり、使用時の応力がワイヤの１箇所に集中しやすいため、曲がりやすく、折れたり、ちぎれたりする虞があった。
また、ハンドル先端部を曲げやすい構成とするために、該ハンドル先端部に穴や間隙、或いはくびれなどの凹凸を設けており、使用時にハンドル先端部が口唇や歯ぐきなどの口腔粘膜に接触した際に違和感があり、使用感が損なわれる虞があった。
また、特許文献１〜３に記載の歯間ブラシと同様、図１０（ｂ）に示すような、幅広の空隙部４４を清掃する際は、清掃作業が面倒で時間がかかっていた。
また、ハンドル先端部に唾液などの水分や汚れが溜まりやすい構成のため、衛生上好ましくないという問題があった。
【０００９】
特許文献７に記載された歯間ブラシは、ワイヤが２重層状に屈曲されており、ブラシ部が２本のワイヤで支持されるため、隙間が横に広いブリッジ等の歯冠修復物と歯肉の隙間を清掃する際の清掃効果も向上するものである。
しかしながら、特許文献７に記載された歯間ブラシでは、ブラシ部の構成が、フィラメントをワイヤ表面に固着してなるものであり、製造コストが高くなるとともに、固着できるフィラメントの本数が少量となってしまう。また、歯を清掃する際、フィラメントがワイヤから剥離してしまう虞がある。また、２重層状に屈曲されたブラシ部（ワイヤ）は、１本のワイヤからなる単芯の構成であり、局部的な応力集中が発生した場合に折れてしまう虞があった。
【００１０】
本発明は上記事情に鑑みてなされたもので、歯間に貯まった歯垢等の清掃効果を高めながら、耐久性を向上させた歯間ブラシを提供することを目的とする。
【課題を解決するための手段】
【００１１】
前記課題を解決するため、本発明は、把持部とブラシ固定部とを有するハンドルと、前記ブラシ固定部に取り付けられ、２本のワイヤ間に、合成繊維又は天然繊維のフィラメントからなるブラシを挟持させ、前記ワイヤを捻り加工することによって前記ブラシを固定したブラシ部とを具備した歯間ブラシであって、前記ブラシ部は、前記ブラシ固定部に固定された一端部からブラシ先端部に向けて延出する第１ブラシ部と、前記ブラシ先端部から前記ブラシ固定部に向けて他端部が折り返すようにして延びる第２ブラシ部とからなり、前記ブラシ固定部に、前記一端部及び他端部が共に固定されていることを特徴とする歯間ブラシを提供する。
本発明の歯間ブラシは、前記ブラシ部において、前記ブラシを前記ブラシ先端部以外の位置に取り付け、ブラシ先端部にブラシ未形成部が設けられた構成としても良い。
本発明の歯間ブラシは、前記ブラシ部の先端部に樹脂被覆部が設けられた構成としても良い。
【発明の効果】
【００１２】
本発明の歯間ブラシによれば、ワイヤを捻り加工してブラシを挟持させたブラシ部が、前記ブラシ固定部に固定された一端部からブラシ先端部に向けて延出する第１ブラシ部と、前記ブラシ先端部から前記ブラシ固定部に向けて他端部が折り返すようにして延びる第２ブラシ部とを有し、前記一端部および他端部が前記ブラシ固定部に固定されている。
これにより、ブラシ部の強度が向上する。また、ブラシ部の形状や寸法の自由度が大きくなるため、隙間の大小に関わらず効率の良い清掃が可能となり、特に、隙間が横に広いブリッジ等の歯冠修復物と歯肉との隙間の清掃には好適となる。
従って、耐久性が高く長寿命であり、また、効率良く清掃を行うことができる歯間ブラシを実現することができる。
【発明を実施するための最良の形態】
【００１３】
以下、本発明に係る歯間ブラシの実施の形態について、図面を参照して説明する。
図１及び図２は、本発明に係る歯間ブラシの第１の実施形態を説明する図である。
【００１４】
図１（ａ）、（ｂ）に示すように、歯間ブラシ１は、把持部２１とブラシ固定部２２とを有するハンドル２と、ブラシ固定部２２に一端部３１ａ、及び、他端部３１ｂが固定され、第１ブラシ部３ａと第２ブラシ部３ｂとを有するブラシ部３とで概略構成されている。
【００１５】
ハンドル２は、細長に形成され、把持部２１と、ハンドル２の一端に設けられてブラシ部３が取り付けられるブラシ固定部２２とから構成される。
把持部２１は、歯間ブラシ１を使用する際に手指で把持するものであり、図示例では細長棒状に形成されている。
ブラシ固定部２２は、図示例では、把持部２１の一端側から先端面２２ａへ向かうに従って徐々に縮径するように構成されている。先端面２２ａには突設部２２ｂが設けられており、ブラシ部３の一端部３１ａ、及び、他端部３１ｂが、ハンドル２との一体成型によって固定されている。
【００１６】
ハンドル２の材質としては、ポリエチレン（ＰＥ）、ポリスチレン（ＰＳ）、ポリプロピレン（ＰＰ）、ポリカーボネート（ＰＣ）、ＡＢＳ樹脂等硬質の樹脂及び天然ゴム、合成ゴム、熱可塑性エラストマーなどの公知の弾性材を用いてもよく、弾性材料を発砲させたものを用いてもよい。また、硬質樹脂と弾性樹脂を組み合わせて用いてもよい。
【００１７】
ブラシ部３は、図２に示すように、２つ折りにして折り返したワイヤ３１間に、合成繊維又は天然繊維の複数のフィラメントからなるブラシ３２を、ワイヤ３１に直交する方向に向けて挟持させ、ワイヤ３１を所定ピッチで捻り加工することによってブラシ３２を固定してなる。
図１（ａ）に示すように、ブラシ部３は、一端部３１ａが前記ブラシ固定部２２に固定されており、一端部３１ａからブラシ先端部３ｃに向けて延びる第１ブラシ部３ａと、ブラシ先端部３ｃからブラシ固定部２２に向けて他端部３１ｂが折り返すようにして延びる第２ブラシ部３ｂとからなり、第２ブラシ部３ｂの他端部３１ｂが、一端部３１ａと共にブラシ固定部２２に固定されている。
【００１８】
ワイヤ３１の材質としては、従来から歯間ブラシ用ワイヤとして用いられているステンレス、Ｃｏ基合金等のワイヤを用いればよく、適宜選択して採用することができる。通常の歯間ブラシでは、ワイヤの太さはφ０．２３〜０．３５ｍｍが一般的に使用されるが、本発明の歯間ブラシでは、２本のワイヤを捻って用いることから、φ０．２３ｍｍより細い径のワイヤを採用してもよい。
【００１９】
ブラシ３２を構成するフィラメントの材質は、歯間ブラシ及び通常の歯ブラシで従来から用いられているナイロン（ＰＡ）、ポリブチレンテレフタレート（ＰＢＴ）、ポリトリメチレンテレフタレート（ＰＴＴ）などの樹脂フィラメントを用いればよい。また、獣毛などの天然毛であってもよく、ブラシ３２を構成するフィラメントの材質は適宜選択して採用することができる。
また、フィラメントの径は適宜決定すれば良いが、従来の歯間ブラシで使用されている直径０．０５１ｍｍ（旧単位では２ｍｉｌ）、０．０６４ｍｍ（同２．５ｍｉｌ）、０．０７６ｍｍ（同３ｍｉｌ）等の寸法のフィラメントを採用すれば良い。
フィラメントの毛切りの長さとしては、１．０〜１２．０ｍｍであれば良く、１.５〜８ｍｍであることが好ましい。
【００２０】
ブラシ部３の毛切り断面形状（図１（ａ）におけるＡ−Ａ断面）としては、図示例（図１（ｃ））では円形となっているが、特に限定されず、適宜決定して採用すれば良い。
図９に示すように、ブラシ３２の形成方向により、円形（図９（ａ））の他、四角形（図９（ｃ））、三角形（図９（ｄ））、各種多角形（図９（ｅ）参照）、楕円形（図９（ｆ））等に構成しても良いし、図９（ｂ）に示すように、径の異なる円形を組み合せた構成としても良い。
毛切り断面形状は、図１０（ａ）、（ｂ）に示すような歯間部４３や、歯肉４２と歯冠修復物４５との空隙部４４に適した形状となるように、ブラシ３２を構成することが好ましい。
【００２１】
本実施形態における歯間ブラシ１では、ブラシ３２を構成するフィラメントの本数、径、色調、植毛長さ、毛切り長さ、及び毛切り形状等の仕様を決定するにあたり、従来の歯間ブラシに比べて自由度が増す。これにより、耐久性、清掃効果及び使用感等が向上するブラシの仕様を、自由に選択して採用することが可能となる。
また、従来の歯間ブラシに比べ、ブラシ３２を構成するフィラメントの本数を多くしたり、毛切り長さを長くすることが容易となるため、図１０（ｂ）に示す空隙部４４ように、特に大きな隙間を清掃する場合に好適である。
【００２２】
なお、本実施形態においては、歯間ブラシ１を、一般にＩ字型と呼ばれるショートタイプのものを例に説明しているが、本発明に係る歯間ブラシの基本的な形状は、これに限定されるものでは無い。例えば、Ｌ字型やアングル型等の形状を有するタイプや、ハンドルが長いロングタイプ（一般にブラシ部は取替え式となる）等の歯間ブラシであっても良い。
【００２３】
本実施形態の歯間ブラシ１は、上述した構成により、以下のような優れた効果を奏する。
（１）ブラシ部３が、第１ブラシ部３ａ及び第２ブラシ部３ｂからなるので、ブラシ部３の折れやちぎれ等が減少し、歯間ブラシの耐久性が向上する。
（２）ブラシ部３が、第１ブラシ部３ａ及び第２ブラシ部３ｂからなるので、ワイヤが単芯で構成される場合に比べて、ブラシの本数や毛切り長さ等の設定が自由で制約が少ない。これにより、ブラシ部３を、清掃効果及び使用感に優れた仕様に設定することができる。図１０（ａ）に示すように、一般に歯と歯の間の隙間（歯間部４３）は三角形の隙間となっているが、図９（ｄ）に示すように、毛切り断面形状を、ブラシの長さの設定によって三角形状に構成する等、清掃する隙間の形状に適応した形状を得ることが可能となる。また、従来の歯間ブラシに比べて、ブラシの本数を多くしたり長くしたりすることが可能となり、ブラシの植毛領域を大きく確保できるため、歯間の隙間が広い場合や歯冠修復物と歯肉の間の隙間が広い場合の清掃には特に効果的である。
（３）ワイヤ３１が、ハンドル２のブラシ固定部２２に対して２箇所（一端部３１ａ、他端部３１ｂ）で固定されるため、ブラシ部３のハンドル２への固定強度が向上する。
（４）ハンドル２先端部（ブラシ固定部２２）に対してブラシ部３が非可動で固定された凹凸の少ない構成としているため、歯間ブラシ使用時、ハンドル２先端部が口唇、歯ぐき等の口腔粘膜に接触した際の違和感が無く、ハンドル２先端部に唾液等の水分や汚れが溜まる等の衛生上の問題も生じることが無い。
（５）従来の歯間ブラシでは、歯間の隙間によって、ＳＳＳ、ＳＳ、Ｓ、Ｍ、Ｌ等（あるいは１〜６の数字）を使って数種類のサイズが用意されており、適宜、消費者が歯間の隙間に合わせて選択していた。本発明に係る歯間ブラシでは、ブラシの仕様を適正化することにより、１本の歯間ブラシで２以上のサイズ（隙間）をカバーすることが可能となる。
【００２４】
以下に、本発明に係る歯間ブラシの第２の実施形態について、図３を用いて説明する。
以下の説明において、第１の実施形態の歯間ブラシ１との共通部分については同じ符号を付して、その説明を省略する。
図３に示すように、本実施形態の歯間ブラシ１１は、ブラシ部３３を、該ブラシ部３３長寸方向の任意の位置で捻り加工することにより、第１ブラシ部３３ａと第２ブラシ部３３ｂとが交差した構成とされている点で、図１に示す歯間ブラシ１と異なる。図示例においては、ブラシ部３３を、該ブラシ部３３長寸方向略中央の１箇所で捻り加工を行っているが、複数箇所で捻って構成しても良い。
【００２５】
本実施形態の歯間ブラシ１１によれば、上記構成により、ブラシ部３３の耐久性を一層向上させることができる。
【００２６】
以下に、本発明に係る歯間ブラシの第３の実施形態について、図４（ａ）、（ｂ）を用いて説明する。
図４（ａ）、（ｂ）に示すように、本実施形態の歯間ブラシ１２は、ブラシ部３４が、ブラシ先端部３４ｃ以外の位置にブラシ３２が取り付けられた構成とされている点で、図１に示す歯間ブラシ１と異なる。
【００２７】
本実施形態の歯間ブラシ１２は、ブラシ先端部３４ｃにブラシ３２を取り付けず、ワイヤが露出したブラシ未形成部３４ｄを設けた構成としたため、例えば、図１０（ａ）、（ｂ）に示すような歯間部４３や空隙部４４に、ブラシ部３４を挿入しやすく、清掃するのが容易となる。
従って、清掃効率及び清掃効果が一層向上する。
【００２８】
なお、ブラシ３２が取り付けられる植毛部は、ブラシ部３４長寸方向において、連続で設けられたものであっても、不連続で設けられたものであっても良い。
図４（ａ）、（ｂ）に示した例では、ブラシ部３４の先端部以外の位置にブラシ３２が取り付けられた構成となっているが、例えば、ブラシ部３４長手方向において、間欠状にブラシ３２が取り付けられた構成としても良い。
【００２９】
以下に、本発明に係る歯間ブラシの第４の実施形態について、図５（ａ）、（ｂ）を用いて説明する。
図５（ａ）、（ｂ）に示すように、本実施形態の歯間ブラシ１３は、ブラシ部３５先端に樹脂被覆部３５ｄが設けられた構成とされている点で、図１に示す歯間ブラシ１と異なる。
樹脂被覆部３５ｄの材質は、ポリエチレン（ＰＥ）、ポリスチレン（ＰＳ）、ポリプロピレン（ＰＰ）、ポリカーボネート（ＰＣ）、ＡＢＳ樹脂等の硬質樹脂を用いても良いし、天然ゴム、合成ゴム、熱可塑性エラストマーなどの弾性材料を用いて構成してもよい。
本実施形態の歯間ブラシ１３によれば、上記構成により、図１０（ａ）、（ｂ）に示すような歯間部４３や空隙部４４に、ブラシ部３５を挿入しやすく、清掃するのが一層容易となる。
【００３０】
以下に、本発明に係る歯間ブラシの第５の実施形態について、図６を用いて説明する。
図６に示すように、本実施形態の歯間ブラシ１４は、ブラシ部３６長寸方向において、ブラシ部３６の後端側（一端部３１ａ及び他端部３１ｂ）からブラシ先端部３６ｃに向かうに従って、ブラシ３２の長さが縮寸してゆく平面視テーパ形状となっている点で、図１に示す歯間ブラシ１と異なる。
【００３１】
本実施形態の歯間ブラシ１４によれば、上述の構成により、図１０（ａ）、（ｂ）に示すような歯間部４３や空隙部４４に、ブラシ部３６を挿入して清掃するのが容易となる。
【００３２】
以下に、本発明に係る歯間ブラシの第６の実施形態について、図７を用いて説明する。
図７に示すように、本実施形態の歯間ブラシ１５は、ブラシ部３７の長寸方向略中央部、ブラシ部３６の後端側（一端部３７ａ及び他端部３７ｂ）、ブラシ先端部３７ｃの位置においてブラシ３２が短く構成されることにより、平面視で２箇所にドラム状の膨出部３７ｄを有した形状となっている点で、図６に示す歯間ブラシ１４と異なる。
【００３３】
本実施形態の歯間ブラシ１５によれば、上述の構成により、図１０（ａ）、（ｂ）に示すような歯間部４３や、歯肉４２と歯冠修復物４５との空隙部４４に、ブラシ部３７を挿入して清掃するのが容易となる。
【００３４】
なお、図７に示した例では、ブラシ部３７が、平面視で２箇所にドラム状の膨らみを有した形状となっているが、図８に示すように、平面視で３箇所にドラム状の膨出部３７ｄを有した形状となるようにブラシ３２の長さを設定、構成しても良いし、ドラム状の膨出部３７ｄが１箇所となるように構成しても良い。
【００３５】
また、本発明に係る歯間ブラシは、第１ブラシ部及び第２ブラシ部からなるブラシ部を具備しているため、第１ブラシ部及び第２ブラシ部に取り付けられたブラシ３２を同様の仕様とすることにより、ダブルストレート状、ダブルテーパ状、ダブルドラム状等の形状とすることができる。また、一方のブラシ部をストレート状とし、他方のブラシ部をテーパ状にする等、上述した形状を複数採用して、複合形状となるように構成しても良い。
【００３６】
本発明に係る歯間ブラシは、従来の歯間ブラシと比べて長いワイヤが必要となる点を除き、従来の歯間ブラシと同様の材料及び製造装置を用いて製造することが可能である。
具体的には、従来の歯間ブラシと同様、ワイヤを、図示しない製造装置にチャックし、フィラメントからなるブラシを挟み込んだ状態でワイヤを捻り加工して、ブラシを固定する。この際、ブラシ部の内、ハンドルに埋め込まれる部分にはブラシを取り付けない。
ブラシ部を二つ折りにする場合は、ブラシ取付後、ブラシ部の先端にヘラ状のものを押し付けながら二つに折り曲げる。
図３に示したような、ブラシ部を任意の位置で捻り加工して、第１ブラシ部３ａと第２ブラシ部３ｂとが交差した構成とする場合は、再度、製造装置にチャックして必要な回数の捻り加工を行う。
ハンドルの成形は、インサート成形金型を用いる等、従来の歯間ブラシと同様の成形方法によって行うことが可能である。インサートによる成形方法では、ループ状あるいは二つ折りに加工されたブラシ部を金型内に配置し、ハンドルを構成する材料（例えばポリプロピレン等）を用いて一体に成形する。
【００３７】
以下に、本発明に係る歯間ブラシの作製例について説明する。
【００３８】
［作製例］
ワイヤに直径０．２５ｍｍのステンレス製ワイヤ、ブラシに直径０．０６４ｍｍのナイロンフィラメントを使用して、図１に示すような本発明に係る歯間ブラシを作製した。
従来の歯間ブラシと同様に２本のワイヤ間にブラシを挟持し、ブラシ部製造装置のチャックを回転させ、ワイヤを捻ることによってブラシ部を作製した。ねじられたワイヤの全長は４２ｍｍであり、中央付近の長さ２０ｍｍの範囲にブラシを植毛し、ワイヤ折り返し部から１１ｍｍの範囲及び他端側から１１ｍｍの範囲には植毛しなかった。
ブラシ部を、ブラシ部製造装置にチャックした状態で、ブラシが植毛された長さ２０ｍｍの範囲の全体に渡り、毛切り長さが径２．５ｍｍとなるように毛揃えを行った。
捻り加工したワイヤの両端を一つにまとめ、ブラシ部全体をループ（輪）状とし、次にループの中央（ブラシ先端部）をフックで軽く引っ張り、先端が歯間の隙間に挿入し易い形状に整え、本発明に係る歯間ブラシを構成するブラシ部を作製した。
作製したブラシ部を、ハンドル成形機の金型内にセットし、ハンドルの材料にポリエチレンを用いて一体成形（インサート成形）した。
この製造方法により、ブラシ部長さ１１ｍｍ、植毛長さ１０ｍｍ、ワイヤ隙間長さ１ｍｍ、ハンドル内埋め込みワイヤ長さ１０ｍｍで、毛切り形状がストレート、植毛部の断面形状が８の字型のループ状のブラシ部を有する、図１に示すような本発明に係る歯間ブラシを作製することができた。
【図面の簡単な説明】
【００３９】
【図１】本発明の歯間ブラシの一例を示す概略図であり、（ａ）正面図、（ｂ）側面図、（ｃ）Ａ−Ａ断面図である。
【図２】図１に示す歯ブラシの要部を示す図である。
【図３】本発明の歯間ブラシの他例を示す概略図である。
【図４】本発明の歯間ブラシの他例を示す概略図である。
【図５】本発明の歯間ブラシの他例を示す概略図である。
【図６】本発明の歯間ブラシの他例を示す概略図である。
【図７】本発明の歯間ブラシの他例を示す概略図である。
【図８】本発明の歯間ブラシの他例を示す概略図である。
【図９】本発明の歯間ブラシの要部を示す断面図である。
【図１０】本発明の歯間ブラシを使用して清掃する歯間を説明する概略図である。
【符号の説明】
【００４０】
１、１１、１２、１３、１４、１５、１６…歯間ブラシ、２…ハンドル、２１…把持部、２２…ブラシ固定部、３、３３、３４、３５、３６、３７、３８…ブラシ部、３ａ、３３ａ…第１ブラシ部、３ｂ、３３ｂ…第２ブラシ部、３ｃ、３３ｃ…ブラシ先端部、３１…ワイヤ、３１ａ…一端部、３１ｂ…他端部、３２…ブラシ、３４ｄ…ブラシ未形成部、３５ｄ…樹脂被覆部
【図１】
2006181120.tif 000003
【図２】
2006181120.tif 000004
【図３】
2006181120.tif 000005
【図４】
2006181120.tif 000006
【図５】
2006181120.tif 000007
【図６】
2006181120.tif 000008
【図７】
2006181120.tif 000009
【図８】
2006181120.tif 000010
【図９】
2006181120.tif 000011
【図１０】
2006181120.tif 000012